(57)【要約】      （修正有）【課題】光源からの光を表示板にて認識させる表示装置において、輝度ムラを低減することができる技術を提供する。【解決手段】基板と、基板の一面側に配置され、光源６２を有する光源モジュール６０と、基板に対して一面側に配置された表示板４０と、基板と表示板４０との間において光源モジュール６０を取り囲むように反射面７１を形成する反射体７０と、を備える。そして、反射面７１は、光源モジュール６０が発する光のうち、反射面７１で反射されずに直接、又は、反射面７１での１回の反射で、表示板４０を照射する光の、光源モジュール６０の指向性から特定される相対光度が、５０％以上となるように形成されている。【選択図】図５
2015081853.tif 000002
【特許請求の範囲】
【請求項１】
基板（３０）と、
該基板の一面側に配置され、光源（６２）を有する光源モジュール（６０）と、
前記基板に対して前記一面側に配置された表示板（４０）と、
前記基板と前記表示板との間において前記光源モジュールを取り囲むように反射面（７１）を形成する反射体（７０）と、
を備え、
前記光源モジュールが発する光のうち、前記反射面で反射されずに直接、又は、前記反射面での１回の反射で、前記表示板を照射する光の、前記光源モジュールの指向性から特定される相対光度が、５０％以上となるように前記反射面が形成されていること、
を特徴とする表示装置。
【請求項２】
請求項１に記載の表示装置であって、
前記光源を含み、かつ、前記光源モジュールによる照射範囲の中心となる中心軸に直交する基準面と、前記反射面とのなす角度である反射面角度が、７７．３度以下に設定されていること、を特徴とする表示装置。
【請求項３】
基板（３０）と、
該基板の一面側に配置され、光源（６２）を有する光源モジュール（６０）と、
前記基板に対して前記一面側に配置された表示板（４０）と、
前記基板と前記表示板との間において前記光源モジュールを取り囲むように反射面（７１）を形成する反射体（７０）と、
を備え、
前記光源を含み、かつ、前記光源モジュールによる照射範囲の中心となる中心軸に直交する基準面と、前記反射面とのなす角度である反射面角度が、７７．３度以下に設定されていること、
を特徴とする表示装置。
【請求項４】
請求項２又は請求項３に記載の表示装置であって、
前記反射面角度は７５．５度以下に設定されていること、を特徴とする表示装置。
【請求項５】
請求項１から請求項４のいずれか一項に記載の表示装置であって、
前記光源を含み、かつ、前記光源モジュールによる照射範囲の中心となる中心軸に直交する基準面上で、前記光源から直径５．０ｍｍ以内の円領域に、前記反射面が交わること、を特徴とする表示装置。
【請求項６】
基板（３０）と、
該基板の一面側に配置され、光源（６２）を有する光源モジュール（６０）と、
前記基板に対して前記一面側に配置された表示板（４０）と、
前記基板と前記表示板との間において前記光源モジュールを取り囲むように反射面（７１）を形成する反射体（７０）と、
を備え、
前記光源を含み、かつ、前記光源モジュールによる照射範囲の中心となる中心軸に直交する基準面上で、前記光源から直径５．０ｍｍ以内の円領域に、前記反射面が交わること、
を特徴とする表示装置。
【請求項７】
請求項１から請求項６のいずれか一項に記載の表示装置であって、
前記光源モジュールは、前記光源として発光ダイオードチップを包含する発光ダイオードパッケージであること、を特徴とする表示装置。
【発明の詳細な説明】
【技術分野】
【０００１】
本発明は、光源からの光を表示板にて認識させる表示装置に関する。
【背景技術】
【０００２】
従来、基板の一面側に光源を備える光源モジュールが配置され、同じく基板の一面側に基板から離間して表示板が配置され、光源モジュールからの光を表示板にて認識させる表示装置が知られている。この種の表示装置では、基板と表示板との間に、光源モジュールを囲むように反射体が設けられており、光源モジュールからの光が表示板へ導かれる。そして、表示板にて認識される光源モジュールの発光態様によって、ユーザに報知が行われる（例えば特許文献１参照）。
【先行技術文献】
【特許文献】
【０００３】
【特許文献１】特開２００５−４３２１５号公報
【発明の概要】
【発明が解決しようとする課題】
【０００４】
前述の装置では、例えば、光源としての発光ダイオードチップ（以下、ＬＥＤチップと記載する）を包含する発光ダイオードパッケージ（以下、ＬＥＤパッケージと記載する）が光源モジュールとして用いられる。ＬＥＤパッケージは、指向性の面から、反射板（リフレクタ）付ＬＥＤパッケージと、反射板無ＬＥＤパッケージとに大別される。反射板付ＬＥＤパッケージとは、図９（ａ）に示すように、ＬＥＤチップ９１から照射される光を反射させて指向性を限定する反射板９２を備えるＬＥＤパッケージをいう。反射板無ＬＥＤパッケージとは、このような反射板９２を備えないＬＥＤパッケージをいう。
【０００５】
図９（ｂ）に、反射板付ＬＥＤパッケージの指向性を表す図の一例を示す。反射板付ＬＥＤパッケージは、反射板９２を用いて照射範囲を狭く限定しており、図９（ｂ）に示す例では、主に真上方向（指向性を表す図における角度０度付近）に限定してＬＥＤチップ９１からの光が照射されるように構成されている。つまり、真上方向の光量が特に大きくなるように構成されている。このため、前述の表示装置において反射板付ＬＥＤパッケージが光源モジュールとして用いられる場合、表示板の中心（反射板付ＬＥＤパッケージの真上すなわち照射範囲の中心）付近は明るく見えるが、その周辺は暗く見えてしまう（表示板における輝度ムラが大きくなる）という問題があった。
【０００６】
本発明は、こうした問題に鑑みてなされたものであり、光源からの光を表示板にて認識させる表示装置において、表示板における輝度ムラを低減する技術を提供することを目的とする。
【課題を解決するための手段】
【０００７】
本発明の一側面は、表示装置であって、基板（３０）と、該基板の一面側に配置され、光源（６２）を有する光源モジュール（６０）と、基板に対して一面側に配置された表示板（４０）と、基板と表示板との間において光源モジュールを取り囲むように反射面（７１）を形成する反射体（７０）と、を備える。そして、光源モジュールが発する光のうち、反射面で反射されずに直接、又は、反射面での１回の反射で、表示板を照射する光の、光源モジュールの指向性から特定される相対光度が、５０％以上となるように反射面が形成されている。このような表示装置によれば、直接又は１回の反射で（反射による減衰の少ない形で）表示板を照射する光の相対光度が５０％以上に制限されるため、表示板における輝度ムラを低減することができる。
【０００８】
本発明の別の側面は、表示装置であって、基板（３０）と、該基板の一面側に配置され、光源（６２）を有する光源モジュール（６０）と、基板に対して一面側に配置された表示板（４０）と、基板と表示板との間において光源モジュールを取り囲むように反射面（７１）を形成する反射体（７０）と、を備える。そして、光源を含み、かつ光源モジュールによる照射範囲の中心となる中心軸に直交する基準面と、反射面とのなす角度である反射面角度が、７７．３度以下に設定されている。このような表示装置によれば、表示板を照射する光量を増加させつつ、表示板における輝度ムラを低減することができる。
【０００９】
本発明の別の側面は、表示装置であって、基板（３０）と、該基板の一面側に配置され、光源（６２）を有する光源モジュール（６０）と、基板に対して一面側に配置された表示板（４０）と、基板と表示板との間において光源モジュールを取り囲むように反射面（７１）を形成する反射体（７０）と、を備える。そして、光源を含み、かつ、光源モジュールによる照射範囲の中心となる中心軸に直交する基準面上で、光源から直径５．０ｍｍ以内の円領域に、反射面が交わるように構成されている。このような表示装置によれば、表示板を照射する光量を増加させつつ、表示板における輝度ムラを低減することができる。
【００１０】
なお、この欄及び特許請求の範囲に記載した括弧内の符号は、一つの態様として後述する実施形態に記載の具体的手段との対応関係を示すものであって、本発明の技術的範囲を限定するものではない。
【図面の簡単な説明】
【００１１】
【図１】コンビネーションメータの概略構成を表す図である。
【図２】図１のII−II線での概略断面を表す図である。
【図３】ＬＥＤパッケージの概略構成を表す斜視図である。
【図４】反射板無ＬＥＤパッケージの指向性の一例を表す図である。
【図５】反射板無ＬＥＤパッケージ、表示板（透過領域）、基板、及び反射体の位置関係を説明する図である。
【図６】図５の部分拡大図である。
【図７】（ａ）は反射板無ＬＥＤパッケージを用いた場合の、反射面角度と、このときに１回反射で表示板を照射する光の角度範囲（０度を挟む片側の範囲）の最大値を示す図であり、（ｂ）は反射板付ＬＥＤパッケージを用いた場合の、反射面角度と、このときに１回反射で表示板を照射する光の角度範囲（０度を挟む片側の範囲）の最大値を示す図である。
【図８】光源モジュールとして反射板無ＬＥＤパッケージを用いた場合と、反射板付ＬＥＤパッケージを用いた場合とについて、反射面角度に対するムラ改善率をシミュレーションした結果を示す図である。
【図９】（ａ）は反射板付ＬＥＤパッケージの概略構成を表す図であり、（ｂ）は反射板付ＬＥＤパッケージの指向性の一例を表す図である。
【発明を実施するための形態】
【００１２】
以下に本発明の実施形態を図面と共に説明する。
［１．全体構成］
図１に、本発明を適用した表示装置の一例として、車両のインストルメントパネルに設けられるコンビネーションメータ１の例を示す。コンビネーションメータ１は、スピードメータ１１及びタコメータ１２等の各種メータを備えるメータ部１０と、メータ部１０の下方に配置されている集中表示部２０とを備える。集中表示部２０は、列状に隣接して配置された複数個（この例では６個）の表示部２１ａ〜２１ｆを備える。これらの表示部２１ａ〜２１ｆは、その発光態様によって、車両の各部位の状況を乗員に報知するものである。
【００１３】
例えば、表示部２１ａは、燃料タンク内の燃料残量の減少を報知し、表示部２１ｂは、エンジン系統の異常を報知する。また、表示部２１ｃは、バッテリ系統の異常を報知し、表示部２１ｄは、ＡＢＳ系統の異常を報知する。また、表示部２１ｅは、オイル系統の異常を報知し、表示部２１ｆは、エアバック系統の異常を報知する。なお、集中表示部２０は、この他に種々の車両の状況を報知する表示部を備えていてもよい。
【００１４】
図２は、図１に示す集中表示部２０のII−II断面を矢印の方向からみた断面図である。集中表示部２０は、少なくとも、基板３０と、表示板４０と、光源モジュール６０と、反射体７０と、を備える。集中表示部２０の断面は、いずれの表示部２１ａ〜２１ｆについても同様の構成となっているため、以下では、II−II断面を例として集中表示部２０の構成を説明する。なお以下では、個々の表示部２１ａ〜２１ｆを区別しない場合、単に表示部２１と記載する。また、個々の表示部２１ａ〜２１ｆに対応する構成（光源モジュール６０、反射体７０）については、例えば「光源モジュール６０ａ」のように、その構成を示す符号の後にａ〜ｆの符号を付して記載する。
【００１５】
基板３０は、プリント基板（Printed Circuit Board）であり、基板３０の一方の面（一面側）には、表示部２１（図２では表示部２１ａ、２１ｂ）に対応する位置に光源モジュール６０（図２では光源モジュール６０ａ、６０ｂ）が配置されている。つまり、表示部２１の数だけ光源モジュール６０が配置されており、これらの光源モジュール６０は、車両に搭載されている図示しない制御部からの制御信号に従って点灯する。
【００１６】
表示板４０は、光を透過させる樹脂を用いて構成され、光源モジュール６０が配置されている側の基板３０の面（実装面）３１から離間して配置されている。表示板４０には、各表示部２１が報知する情報を示す表示パタンが印刷されている。例えば、表示部２１ａには燃料の減少を警告する表示パタンが印刷され、表示部２１ｂにはエンジン系統の異常を警告する表示パタンが印刷されている。
【００１７】
本実施形態では、光源モジュール６０として、反射板無ＬＥＤパッケージが用いられている。反射板無ＬＥＤパッケージは、指向性を限定する反射板を備えていないため、反射板を備える反射板付ＬＥＤパッケージと比べて、照射範囲が広く、また、小型に形成される。具体的には、光源モジュール６０は、図３に示すように、ＳＭＤ（Surface Mount Device 表面実装部品）として構成されており、ＬＥＤ基材６１とＬＥＤチップ６２と樹脂モールド部６３とを備える。ＬＥＤ基材６１は、ＢＴレジンからなり、図示するｘ軸方向を奥行き、ｙ軸方向を幅、ｚ軸方向を高さとして、それぞれの大きさをＤ１、Ｗ１、Ｈ１とする略直方体に形成されている。
【００１８】
ＬＥＤ基材６１は、ＬＥＤチップ６２を保持する土台であり、幅方向の両端には、端子（パッケージ端子という）６１１、６１２が設けられている。端子６１２側には、エポキシ樹脂と顔料から形成された、ＬＥＤチップ６２の極性を示す極性表示マーク６１３が配置されている。ＬＥＤ基材６１における高さ方向の一方の面６１０には、各パッケージ端子６１１、６１２から延びる配線パタンが形成されている。配線パタンの一方はＬＥＤ基材の略中央まで延び、ＬＥＤチップを実装する実装座６１４を形成している。以下では、ＬＥＤ基材６１において、実装座６１４が形成されている面６１０をＬＥＤ実装面（光源実装面）６１０という。
【００１９】
ＬＥＤチップ６２は、二つの端子を備え、そのうちの一方が実装座６１４に銀（Ag）ペースト６２１により電気的に接着され、他方が金（Au）線６２２によってもう一方の配線パタン（実装座６１４を備えない配線パタン）と接続されている。このようにしてＬＥＤチップ６２は、ＬＥＤ基材６１の略中央に実装されている。またＬＥＤチップ６２は、保護のため、ＬＥＤ実装面６１０上において、光を透過させる材料であるエポキシ樹脂によって周囲をモールドされている。
【００２０】
このような光源モジュール６０（反射板無ＬＥＤパッケージ）の発光強度の角度分布（指向性）は、一例として図４に示すように、照射範囲の中心となる中心軸からの角度が所定角度未満の範囲では１００％に近い相対光度となり、該所定角度以上の範囲では、角度の増加に従って相対光度が減少するようになっている。具体的には、図４に示す指向性では、中心軸からの角度が約２４度未満の範囲（図４に示す２本の破線の内側の角度範囲）では１００％に近い（約９９％以上の）相対光度となる。一方、中心軸からの角度が約２４度以上の範囲（図４に示す２本の破線の外側の角度範囲）では、角度の増加に従って相対光度が減少し、角度が約７０度で相対光度が５０％になる。つまり、本実施形態で用いる光源モジュール６０は、前述した従来の反射板付ＬＥＤパッケージ（図９（ｂ））に比べて、より広い範囲に対して１００％に近い相対光度の光を照射可能なＬＥＤパッケージとして構成されている。
【００２１】
図２に戻り、反射体７０は、例えば白色ポリプロピレン（ＰＰ）等のように、光源モジュール６０からの光を反射する性質を備える（反射率の高い）材料からなり、基板３０と表示板４０との間に挟持されている。反射体７０は、各表示部２１に対応するように配置された光源モジュール６０を取り囲むように、反射面７１を形成している。つまり、反射体７０は、光源モジュール６０を取り囲む筒状に形成されている（図２の例では、反射体７０ａの反射面７１ａが光源モジュール６０ａを取り囲むように形成され、反射体７０ｂの反射面７１ｂが光源モジュール６０ｂを取り囲むように形成されている）。
【００２２】
本実施形態では、反射面７１（反射面７１ａ、７１ｂ）により形成される空間の断面（筒状の断面）は円形であり、光源モジュール６０から離れるに従って、断面の直径が増加するように反射体７０が形成されている。これにより、反射体７０が単純な筒状（反射面７１により形成される空間の断面形状が一定）に形成されている場合と比べて、光源モジュール６０から照射された光は、反射面７１で反射されて、より少ない反射回数で上方に導かれる。なお、反射体７０は、図５及び図６に示すように、反射面７１により形成される空間の表示板４０側の断面が、予め定められた直径φＡの円状に形成されている。以下では、反射体７０が接することによって直径φＡの円状の領域として区切られる表示板４０の領域を透過領域４１というものとする。また、反射体７０は、ＬＥＤチップ６２（発光点）を含み、かつ、光源モジュール６０による照射範囲の中心（角度０度）となる中心軸Ｐに直交する面を基準面５３として、該基準面５３上におけるＬＥＤチップ６２（発光点）を中心とする直径φＢの円領域と、反射面７１とが交わるように形成されている。なお、反射面７１と基準面５３とのなす角度を反射面角度θＲという。
【００２３】
［２．具体例の説明］
以下では、直径φＡが１２．０ｍｍに設定され、基準面５３から表示板４０までの間隔ｈが１４．５ｍｍに設定されている例について説明する。
【００２４】
［２Ａ］本実施形態では、透過領域４１の輝度ムラが低減されるように構成されている。透過領域４１の輝度ムラは、例えば、透過領域４１内における輝度の最大値ＭＡＸに対する輝度の最小値ＭＩＮの比（ＭＩＮ／ＭＡＸ）として表すことができる。以下では、この値を輝度ムラ指標値という。輝度ムラ指標値は、値が１に近いほど輝度ムラが小さいことを示すため、輝度ムラを低減するためには、透過領域４１内における輝度の最小値ＭＩＮ、すなわち透過領域４１の端部における相対光度を大きくすることが望ましい。なぜならば、光源モジュール６０の指向性は（図４の例では中心軸付近を除いて）、中心軸からの角度が大きいほど相対光度が小さくなる傾向にあり、透過領域４１における中心軸から最も離れた位置（端部）での輝度は、透過領域４１内における輝度の最小値ＭＩＮを示すことになるからである。図４及び図９（ｂ）から明らかであるように、同条件下では、反射板付ＬＥＤパッケージに比べて、反射板無ＬＥＤパッケージの方が、透過領域４１の端部における相対光度を大きくすることができる。従って、本実施形態では、光源モジュール６０として、より広指向な反射板無ＬＥＤパッケージを採用している。
【００２５】
［２Ｂ］本実施形態では、表示板４０での光度を大きくするため、より多くの光（広い角度範囲の光）が少ない反射（減衰）で透過領域４１を照射するように、反射面７１が構成されている。なぜならば、広指向な反射板無ＬＥＤパッケージを採用すると、広い範囲で均一な相対光度の光が照射される反面、反射板付ＬＥＤパッケージを採用した場合と比べて、表示板４０での光度が弱くなる（ユーザには暗く感じられる）からである。より多くの光が少ない反射で透過領域４１を照射するためには、反射面７１の傾斜ができるだけ緩やかであること、つまり反射面角度θＲが小さいことが望ましい。
【００２６】
但し、表示板４０の透過領域４１の直径φＡ及び間隔ｈには設計上の制約があることが通常であり（前述のように、直径φＡ及び間隔は固定値に定められている）、反射面角度θＲを減少させるには、直径φＢを小さくする必要がある。直径φＢのとり得る最小値は、光源モジュール６０の外形及び取付公差によって制約を受ける。つまり、反射面角度θＲを減少させるには、パッケージ外形がより小さい光源モジュール６０を採用することが有利である。具体的には、本実施形態では、日本工業規格（ＪＩＳ）表示で１６０８サイズ（１．６ｍｍ×０．８ｍｍ）の反射板無ＬＥＤパッケージを採用している。
【００２７】
参考のため、本実施形態と、比較のために３５２８サイズ（３．５ｍｍ×２．８ｍｍ）の反射板付ＬＥＤパッケージを光源モジュール６０として採用した場合とについて、反射面角度θＲがとり得る最小値について説明する。詳細については後述するが、図７（ａ）及び図７（ｂ）は、反射板無ＬＥＤパッケージ（１６０８サイズ）を用いた場合、及び反射板付ＬＥＤパッケージ（３５２８サイズ）を用いた場合のそれぞれについて、反射面角度と、このときに１回反射で表示板を照射する光の角度範囲の最大値（０度を挟む片側の範囲）を示す図である。ここで、図中の黒丸印は、取付公差を考慮しないで可能な限り、基準面上で、反射面７１を光源モジュール６０に近付けた場合の反射面角度と、このときに１回反射で表示板を照射する光の角度範囲の最大値を示す。一方、図中の黒三角印は、取付公差を考慮して可能な限り、基準面上で、反射面７１を光源モジュール６０に近付けた場合の反射面角度と、このときに１回反射で表示板を照射する光の角度範囲の最大値を示す。なお、取付公差は、片側方向で約１ｍｍ、両側方向で約２ｍｍに設定され、前述のように、直径φＡは１２．０ｍｍに、間隔ｈは１４．５ｍｍに設定されている。
【００２８】
反射板付ＬＥＤパッケージを用いた場合、取付公差を考慮すると、反射面角度θＲがとり得る値は７７．３７度以上であった（図７（ｂ）参照）。これに対して、反射板無ＬＥＤパッケージを用いた場合、取付公差を考慮すると、反射面角度θＲがとり得る値は７３．６６度以上であった（図７（ａ）参照）。つまり、図７（ａ）及び図７（ｂ）より、反射板を備えない分だけパッケージ外形が小さい反射板無ＬＥＤパッケージを用いた場合は、光源モジュール６０に反射面７１をより近付けることができるため、反射面角度θＲを、反射板付ＬＥＤパッケージを用いた場合の最小値である７７．３７度未満（７７．３度以下）に設定できることが、確認される。
【００２９】
［２Ｃ］前述の［２Ａ］及び［２Ｂ］の両方を考慮して、本実施形態では、光源モジュール６０が発する光のうち、反射面７１で反射されずに直接、又は反射面７１での１回の反射で透過領域４１を照射する光の相対光度が、光源モジュール６０の指向性から特定される所定の相対光度である照射許容値α（本実施形態では、照射許容値αは５０％）以上となるように、反射面７１が形成されている。このように、直射又は１回反射により透過領域４１を照射する光の相対光度に基づいて反射面７１を形成しているのは、反射面７１での反射による減衰が原因で、２回以上の反射で透過領域４１を照射する光については透過領域４１の照射についての寄与が少ないためである。
【００３０】
なお以下では、直接又は１回の反射で透過領域４１を照射する光の相対光度が照射許容値α（５０％）以上となるような、光源モジュール６０の指向性を表す図（図４）における角度範囲（０度を中心とする角度範囲）を許容角度範囲θαという。許容角度範囲θαは、照射許容値αが決まれば、光源モジュール６０の指向性から一義的に決まる値である。また、透過領域４１に直接照射される光の角度範囲（０度を中心とする角度範囲）を直接照射許容範囲θｄという。直接照射許容範囲θｄは、前述のように直径φＡ及び間隔ｈが固定値であれば、一義的に決まる値である。さらに、直接、又は１回の反射で透過領域４１に照射される光の角度範囲（０度を中心とし直接照射許容範囲θｄを包含する角度範囲）を１回反射許容範囲θａという。１回反射許容範囲θａは、反射面角度θＲに応じて調整可能な値である。なお、図５及び図６では、直接照射許容範囲θｄ及び１回反射許容範囲θａの範囲として、０度を挟む片側の範囲を示している。
【００３１】
具体的には、光源モジュール６０として反射板無ＬＥＤパッケージを用いた本実施形態では、図７（ａ）に示すように、仮に反射面角度θＲが７０度に設定されると、１回反射で表示板を照射する光の角度範囲の最大値（１回反射許容範囲θａの最大角度）が約６６度となる。このとき、図４より、反射板無ＬＥＤパッケージの相対光度の最小値は５０％である（許容角度範囲θαの最大角度は、約６６度である）。また、仮に反射面角度θＲが７３．６６度に設定されると、１回反射で表示板を照射する光の角度範囲の最大値が約６２．５度となる。このとき、図４より、反射板無ＬＥＤパッケージの相対光度の最小値は６０％である。つまり、１回反射許容範囲θａが許容角度範囲θα以下（θａ≦θα）となるように反射面角度θＲが設定されている場合、光源モジュール６０（反射板無ＬＥＤパッケージ）が発する光のうち、直接又は１回の反射で透過領域４１を照射する光の相対光度が５０％以上となる。具体的には、本実施形態では、反射面角度θＲは７５．５度に設定されている。
【００３２】
なお比較のため、光源モジュール６０として反射板付ＬＥＤパッケージを用いた場合、図７（ｂ）に示すように、取付公差を考慮して反射面角度θＲが７７．３７度に設定されると、１回反射で表示板を照射する光の角度範囲の最大値が約６０度となる。このとき、図９（ｂ）より、反射板付ＬＥＤパッケージの相対光度の最小値は５０％未満である。つまり、同じ反射面角度θＲにおいて、反射板無ＬＥＤパッケージの相対光度の最小値は、反射板付ＬＥＤパッケージの相対光度の最小値に比べて、大きくなることが確認される。これより、反射板無ＬＥＤパッケージを用いた場合は、反射板付ＬＥＤパッケージを用いた場合に比べて、前述の輝度ムラが小さくなる。
【００３３】
［２Ｄ］なお、前述のように、反射体７０は、基準面５３上におけるＬＥＤチップ６２（発光点）を中心とする直径φＢの円領域と、反射面７１とが交わるように形成されており、具体的には、本実施形態では、直径φＢが５．０ｍｍに設定されている。この値は、直径φＡが１２．０ｍｍ、間隔ｈが１４．５ｍｍに設定されているときに、反射面角度θＲを７５．５度に設定するための直径φＢの大きさである。直径φＢのとり得る最小値は、光源モジュール６０の外形及び取付公差を考慮して設定される。
【００３４】
［３．効果］
以上説明したように、本実施形態では以下の効果が得られる。
本実施形態では、光源モジュール６０として反射板無ＬＥＤパッケージを採用することにより、有利な点として、指向性が広くなること及び小型化できることで、反射体７０を光源モジュール６０により近づけられることが挙げられる。これにより、より多くの光が透過領域４１に照射されるようにしつつ、表示板４０（透過領域４１）の輝度の均一性を向上することができる。
【００３５】
また、本実施形態では、反射体７０に一度当たった光が、表示板４０（透過領域４１）に入射する場合において、より広指向な反射板無ＬＥＤパッケージを採用することで、反射した光も均一性が高くなっている。また、小型な反射板無ＬＥＤパッケージを使用することで、反射体７１を光源モジュール６０に近づけることができ、これにより、反射面角度θＲを小さく設定できるため、表示板４０（透過領域４１）での輝度を向上することができる。
【００３６】
なお、参考として示した、反射面角度θＲと、反射体７０に反射して表示板４０に入射する光の最大角（１回反射許容範囲θａの最大角度）との関係を示した図（図７（ａ）及び図７（ｂ））から明らかであるように、従来の反射板付ＬＥＤパッケージ（３５２８サイズ）では、パッケージサイズが大きいため、反射板無ＬＥＤパッケージ（１６０８サイズ）を用いた本実施例と比べて、反射面７１を光源モジュール６０に近づけることができず、反射面角度θＲが大きい角度になることが確認された。つまり、反射板ＬＥＤパッケージを使用することで、反射面７１を光源モジュール６０に近づけられることが確認された。
【００３７】
また参考として、図８に、光源モジュール６０として反射板無ＬＥＤパッケージを用いた場合と、比較のために光源モジュール６０として反射板付ＬＥＤパッケージを用いた場合とについて、反射面角度θＲを変化させたとき（直径φＢを変化させたとき）にムラ改善率がどのように変化するかをシミュレーションした結果を示す。ここで、ムラ改善率とは、算出したムラ指標値について、反射板付ＬＥＤパッケージを用いて直径φＢを５．５ｍｍに設定した場合のムラ指標値に対する比を、パーセント（％）で表示した値をいう。
【００３８】
図８からは、直径φＢが５．０ｍｍ以下の場合、光源モジュール６０（反射板無ＬＥＤパッケージ）に反射体７０をより近づけられる構成である本実施形態の方が、ムラを改善できていることが確認される。
【００３９】
前述のように取付公差を加味した場合、反射板付ＬＥＤパッケージ（３５２８サイズ）を用いた従来構成では、反射面角度θＲの最小値が７７．３７度のとき（直径φＢが約５．５ｍｍのとき）、５０％未満の相対光度の光（１回反射許容範囲θａが６０度以下となる光）も利用されていた。
【００４０】
これに対し、本実施形態では、取付公差を加味した場合の反射面角度θＲが７３．６６度（対応する１回反射許容範囲θａの最大角度は６２．５度）となり（図７（ａ）参照）、従来例に比べて、１回反射許容範囲θａの光が増加する。また、光源モジュール６０が発する光のうち、直接又は１回の反射で透過領域４１を照射する光は、相対光度が６０％未満の場合は表示板４０に入射されない。つまり、図８に示すように直径φＢが５．０ｍｍ以下の場合に本実施形態の方がムラを改善できているのは、従来例よりも相対光度の大きい光によって表示板４０（透過領域４１全域）が照射されるように構成されているためである。また、図８から明らかであるように、ムラ改善の傾向は、反射面角度θＲの値が７５．５度以下の場合に顕著に表れる。
【００４１】
なお、本実施形態では、光源モジュール６０が「発光ダイオードパッケージ」の一例に相当し、ＬＥＤチップ６２が「光源」、「発光ダイオードチップ」の一例に相当する。
［４．他の実施形態］
以上、本発明の実施形態について説明したが、本発明は上記実施形態に限定されるものではなく、本発明の要旨を逸脱しない範囲にて様々な態様で実施することが可能である。
【００４２】
［４Ａ］上記実施形態では、反射体７０は、反射面７１により形成される空間の断面が円状で、該断面の面積が高さ方向の下側から上側に向かって一定の割合で増加するように形成されていたが、反射体７０の形状はこれに限るものではない。例えば、反射体７０により形成される空間の断面は、楕円形、多角形、その他の曲線又は直線からなる形状であってもよい。なお、高さ方向において、該空間の断面の形状が異なるように形成されていてもよい。また、反射体７０により形成される空間の断面の面積が、高さ方向の下側から上側に向かって、一定の割合に限らず、単に増加するように形成されていてもよい。
【００４３】
［４Ｂ］上記実施形態では、光源モジュール６０が発する光のうち、直接、又は１回反射して透過領域４１を照射する光の相対光度に基づいて反射面７１が形成されていたが、これに限らず、例えば透過領域４１を直接照射する光に基づいて反射面７１が形成されてもよい。この場合、例えば、透過領域４１を直接照射する光が、光源モジュール６０の指向性から特定される所定の相対光度（例えば９９％）以上となるように、反射面７１が形成されてもよい。
【００４４】
［４Ｃ］上記実施形態では、直径φＡを１２．０ｍｍに設定し、間隔ｈを１４．５ｍｍに設定していたが、直径φＡ及び間隔ｈは、これらの値に限るものではない。また、上記実施形態では、反射板無ＬＥＤパッケージとして１６０８サイズのパッケージが用いられていたが、パッケージのサイズはこれに限るものではない。
【００４５】
［４Ｄ］上記実施形態では、反射面角度θＲを７５．５度に設定していたが、反射面角度θＲの値は、これに限るものではない。反射面角度θＲは、上記実施形態で説明した７７．３度以下に設定されていてもよいし、これに限らず、ムラ改善の傾向が顕著となるように、７５．５度以下に設定されていてもよい。
【００４６】
［４Ｅ］上記実施形態では、反射板無ＬＥＤパッケージが光源モジュール６０として用いられていたが、適用される光源はこれに限るわけではない。ＬＥＤパッケージ以外の光源が用いられても良い。
【００４７】
［４Ｆ］上記実施形態では、車両のコンビネーションメータに本発明を適用したが、本発明の適用範囲はこれに限るものではない。表示部を備える同様の構成であれば、例えば各種制御を行う制御装置や家電装置等のように、車両以外に適用される表示装置であってもよい。また表示部は、表示パタンを表示するだけではなく、表示パタンを表示すると共に、スイッチとしても機能するように構成されていてもよい。
【００４８】
［４Ｇ］上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００４９】
１・・・コンビネーションメータ  ３０・・・基板  ４０・・・表示板  ４１・・・透過領域  ５３・・・基準面  ６０・・・光源モジュール  ６２・・・ＬＥＤチップ  ７０・・・反射体  ７１・・・反射面  ６１０・・・ＬＥＤ実装面
【図１】
2015081853.tif 000003
【図２】
2015081853.tif 000004
【図３】
2015081853.tif 000005
【図５】
2015081853.tif 000006
【図６】
2015081853.tif 000007
【図７】
2015081853.tif 000008
【図４】
2015081853.tif 000009
【図８】
2015081853.tif 000010
【図９】
2015081853.tif 000011